(57)【要約】      （修正有）【課題】設備管理システムで管理する項目を表示する際の利便性を向上する。【解決手段】処理をコンピュータに実行させるための表示プログラムであって、設備管理システムで管理する項目を閲覧及び／又は編集する画面の第１領域Ａ１において、複数の管理対象種別を表示し、画面の第２領域Ａ２に、複数の管理対象種別それぞれの選択操作に用いる複数の操作部品（種別ボタンＢ１）を表示し、いずれかの操作部品の選択操作に応じて、第１領域Ａ１において、選択操作された操作部品に対応する管理対象種別に関連する項目の表示を制御する（破線枠Ｂ２に示すアコーディオンを開く）。【選択図】図７
2020201854.tif 000002
【特許請求の範囲】
【請求項１】
設備管理システムで管理する項目を閲覧及び／又は編集する画面の第１領域において、複数の管理対象種別を表示し、
前記画面の第２領域に、複数の前記管理対象種別それぞれの選択操作に用いる複数の操作部品を表示し、
いずれかの前記操作部品の選択操作に応じて、前記第１領域において、選択操作された前記操作部品に対応する管理対象種別に関連する項目の表示を制御する、
処理をコンピュータに実行させるための表示プログラム。
【請求項２】
前記操作部品の選択操作に応じて、選択操作された前記操作部品に対応する前記管理対象種別に関連する項目を表示する際に、前記第１領域の先頭位置に表示する、ことを特徴とする請求項１に記載の表示プログラム。
【請求項３】
前記操作部品の選択操作があったときに、選択操作されていない操作部品に対応する管理対象種別に関連する項目の表示態様は変更しない、ことを特徴とする請求項２に記載の表示プログラム。
【請求項４】
前記第１領域内における前記管理対象種別の選択操作に応じて、選択操作された前記管理対象種別に関連する項目の表示を制御する際に、選択操作された前記管理対象種別の位置を変更しない、ことを特徴とする請求項１〜３のいずれか一項に記載の表示プログラム。
【請求項５】
前記操作部品の選択操作があったときに、選択操作されていない操作部品に対応する前記管理対象種別に関連する項目を非表示にする、ことを特徴とする請求項１〜４のいずれか一項に記載の表示プログラム。
【請求項６】
設備管理システムで管理する項目を閲覧及び／又は編集する画面の第１領域において、複数の管理対象種別を表示し、
前記画面の第２領域に、複数の前記管理対象種別それぞれの選択操作に用いる複数の操作部品を表示し、
いずれかの前記操作部品の選択操作に応じて、前記第１領域において、選択操作された前記操作部品に対応する管理対象種別に関連する項目の表示を制御する、
処理をコンピュータが実行することを特徴とする表示方法。
【請求項７】
設備管理システムで管理する項目を閲覧及び／又は編集する画面の第１領域において、複数の管理対象種別を表示する第１表示部と、
前記画面の第２領域に、複数の前記管理対象種別それぞれの選択操作に用いる複数の操作部品を表示する第２表示部と、
いずれかの前記操作部品の選択操作に応じて、前記第１領域において、選択操作された前記操作部品に対応する管理対象種別に関連する項目の表示を制御する制御部と、
を備える表示装置。
【発明の詳細な説明】
【技術分野】
【０００１】
本発明は、表示プログラム、表示方法及び表示装置に関する。
【背景技術】
【０００２】
工場内に設置されている機器等の設備を管理する設備管理システムにおいては、様々な観点で設備を管理する必要があるため、管理者が入力する項目や参照する項目が非常に多い。また、同一の設備に関する情報であっても、管理者の職制が異なれば、入力、参照する項目が異なる。したがって、同一の設備に関する情報を１つの画面で網羅的に表示してしまうと、各管理者が入力、参照する項目が画面内の様々な位置に散在してしまうため、使い勝手が悪く、入力漏れ等を誘発するおそれがある。
【先行技術文献】
【特許文献】
【０００３】
【特許文献１】特開２０１３−１８２２１号公報
【発明の概要】
【発明が解決しようとする課題】
【０００４】
１つの側面では、本発明は、設備管理システムで管理する項目を表示する際の利便性を向上することが可能な表示プログラム、表示方法及び表示装置を提供することを目的とする。
【課題を解決するための手段】
【０００５】
一つの態様では、表示プログラムは、設備管理システムで管理する項目を閲覧及び／又は編集する画面の第１領域において、複数の管理対象種別を表示し、前記画面の第２領域に、複数の前記管理対象種別それぞれの選択操作に用いる複数の操作部品を表示し、いずれかの前記操作部品の選択操作に応じて、前記第１領域において、選択操作された前記操作部品に対応する管理対象種別に関連する項目の表示を制御する、処理をコンピュータに実行させるプログラムである。
【発明の効果】
【０００６】
設備管理システムで管理する項目を表示する際の利便性を向上することができる。
【図面の簡単な説明】
【０００７】
【図１】一実施形態に係る情報処理システムの構成を概略的に示す図である。
【図２】図２（ａ）は、サーバのハードウェア構成を示す図であり、図２（ｂ）は、利用者端末のハードウェア構成を示す図である。
【図３】サーバ及び利用者端末の機能ブロック図である。
【図４】利用者端末の画面表示部による表示処理を示すフローチャートである。
【図５】初期画面を示す図である。
【図６】保全周期の項目が表示された状態を示す画面例である。
【図７】第２領域において種別ボタン「作業」が選択されたときの画面例である。
【図８】第１領域において種別名「作業」が選択されたときの画面例である。
【発明を実施するための形態】
【０００８】
以下、情報処理システムの一実施形態について、図１〜図８に基づいて詳細に説明する。
【０００９】
図１には、一実施形態に係る情報処理システム１００の構成が概略的に示されている。図１に示すように、情報処理システム１００は、サーバ１０と、表示装置としての利用者端末７０と、を備えており、サーバ１０と利用者端末７０は、インターネットやＬＡＮ（Local Area Network）などのネットワーク８０に接続されている。
【００１０】
サーバ１０は、工場内に設置されている機器等の設備を管理する設備管理システムに含まれ、設備の情報を管理する装置である。図２（ａ）には、サーバ１０のハードウェア構成が示されている。図２（ａ）に示すように、サーバ１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、ネットワークインタフェース９７、及び可搬型記憶媒体用ドライブ９９等を備えている。これらサーバ１０の構成各部は、バス９８に接続されている。サーバ１０では、ＲＯＭ９２あるいはＨＤＤ９６に格納されているプログラム、或いは可搬型記憶媒体用ドライブ９９が可搬型記憶媒体９１から読み取ったプログラムをＣＰＵ９０が実行することにより、図３に示す、各部の機能が実現される。なお、図３には、サーバ１０のＨＤＤ９６等に格納されている設備情報ＤＢ（database）２９も図示されている。なお、図３のサーバ１０の各部の機能は、例えば、ＡＳＩＣ（Application Specific Integrated Circuit）やＦＰＧＡ（Field Programmable Gate Array）等の集積回路により実現されてもよい。
【００１１】
図１に戻り、利用者端末７０は、設備を管理する管理者が利用する端末であり、ＰＣ（Personal Computer）や、タブレット型端末、スマートフォンなどの端末である。図２（ｂ）には、利用者端末７０のハードウェア構成が示されている。図２（ｂ）に示すように、利用者端末７０は、ＣＰＵ１９０、ＲＯＭ１９２、ＲＡＭ１９４、記憶部（ＨＤＤ）１９６、ネットワークインタフェース１９７、表示部１９３、入力部１９５、及び可搬型記憶媒体用ドライブ１９９等を備えている。これら利用者端末７０の構成各部は、バス１９８に接続されている。表示部１９３は、液晶ディスプレイ等を含み、入力部１９５は、キーボードやマウス、タッチパネル等を含む。利用者端末７０では、ＲＯＭ１９２あるいはＨＤＤ１９６に格納されているプログラム、或いは可搬型記憶媒体用ドライブ１９９が可搬型記憶媒体１９１から読み取ったプログラムをＣＰＵ１９０が実行することにより、図３に示す、各部の機能が実現される。なお、図３の利用者端末７０の各部の機能は、例えば、ＡＳＩＣやＦＰＧＡ等の集積回路により実現されてもよい。
【００１２】
図３には、サーバ１０及び利用者端末７０の機能ブロック図が示されている。図３に示すように、サーバ１０は、ＣＰＵ９０がプログラムを実行することにより、要求受付部２０及びデータ送信部２２として機能する。また、利用者端末７０は、ＣＰＵ１９０がプログラムを実行することにより、データ要求部３０、データ受信部３２、及び画面表示部３４として機能する。
【００１３】
（サーバ１０の機能について）
要求受付部２０は、利用者端末７０のデータ要求部３０からのデータ送信要求を受け付ける。
【００１４】
データ送信部２２は、要求受付部２０がデータ送信要求を受け付けた場合に、設備情報ＤＢ２９から必要なデータ（設備の管理情報）を取得する。そして、データ送信部２２は、取得したデータを含むコンテンツと、コンテンツの表示処理を実現するための表示プログラムとしての制御情報と、を利用者端末７０のデータ受信部３２に送信する。なお、制御情報は、例えば、ＪａｖａＳｃｒｉｐｔ（登録商標）やＣＳＳ等のスクリプト言語により記述される。
【００１５】
設備情報ＤＢ２９には、工場内に設置されている機器等の設備を管理するための設備情報が格納されている。例えば、設備情報ＤＢ２９には、ある充填機に関連して、「充填機用法定点検」、「充填機用６ヵ月点検」「充填機用自主点検」の情報が格納されている。また、「充填機用法定点検」の情報には、管理対象種別として、種別名「保全周期」、「作業」、「備品」、「点検」、「カレンダー」が設定されており、各種別名に対して、関連する項目が対応付けられている。例えば、種別名「保全周期」には、「管理区分」、「ロケーション」、「機番」等の項目が対応付けられており、種別名「作業」には、「作業コード」、「作業内容」等の項目が対応付けられている。
【００１６】
（利用者端末７０の機能について）
データ要求部３０は、管理者から設備を特定する識別情報の入力があると、当該入力に応じて、サーバ１０の要求受付部２０に当該設備のデータを送信するよう要求する。
【００１７】
データ受信部３２は、サーバ１０のデータ送信部２２から送信されてくるコンテンツと制御情報とを受信する。
【００１８】
画面表示部３４は、データ受信部３２が受信したコンテンツと制御情報に基づいて、ブラウザ上に設備の管理情報を表示する。また、画面表示部３４は、制御情報に基づいて、管理者による入力（画面操作）に応じた表示処理（画面の表示切り替え）を実行する。
【００１９】
（画面表示部３４による表示処理について）
次に、画面表示部３４による表示処理について、図４のフローチャートに沿って、その他図面を適宜参照しつつ、詳細に説明する。
【００２０】
図５には、画面表示部３４がブラウザ上に表示する初期画面が示されている。図５の初期画面には、第１領域Ａ１と、第２領域Ａ２、第３領域Ａ３が設けられている。第１領域Ａ１、第２領域Ａ２には、第３領域Ａ３において選択された点検に対応する情報が表示される。
【００２１】
本実施形態では、第３領域Ａ３において「充填機用法定点検」が選択され、第１領域Ａ１には、種別名「保全周期」、「備品」、「点検」、「カレンダー」と表示されている。これら種別名「保全周期」、「備品」、「点検」、「カレンダー」には、前述のように項目が関連付けられている。このため、例えば、管理者によって種別名「保全周期」が選択されると、図６に示すように種別名「保全周期」に関連する項目がアコーディオン表示方式で、アコーディオンを開くように表示されるようになっている。なお、以下においては、説明の簡素化のため、種別名が選択されることによって種別名に関連する項目を表示することを、「アコーディオンを開く」と表現することとする。また、種別名が選択されることによって種別名に関連する項目を非表示にすることを、「アコーディオンを閉じる」と表現することとする。
【００２２】
一方、第２領域Ａ２には、種別名「保全周期」、「作業」、「備品」、「点検」、「カレンダー」の選択操作に用いる種別ボタン（操作部品）が表示されている。操作ボタンが操作されたときの表示処理の詳細については、後述する。
【００２３】
図４の処理の説明の前提として、画面表示部３４は、利用者端末７０の表示部１９３上に表示したブラウザに、図６に示すような画面を表示しているものとする。図６の画面においては、種別名「保全周期」に関連する項目が既に表示された状態となっている。
【００２４】
図４の処理では、まず、ステップＳ１０において、画面表示部３４が、第２領域Ａ２の種別ボタンのいずれかが選択されたか否かを判断する。このステップＳ１０の判断が否定された場合には、ステップＳ１６に移行し、第１領域Ａ１の種別名のいずれかが選択されたか否かを判断する。このステップＳ１６の判断が否定された場合には、ステップＳ１０に戻る。すなわち、ステップＳ１０、Ｓ１６の判断のいずれかが肯定されるまで、画面表示部３４は、ステップＳ１０、Ｓ１６を繰り返し実行する。
【００２５】
そして、例えば、ステップＳ１０の判断が肯定された場合には、画面表示部３４はステップＳ１２に移行する。ステップＳ１２に移行すると、画面表示部３４は、第１領域Ａ１において、選択された種別ボタンに対応する種別名のアコーディオンが開いた状態か否かを判断する。このステップＳ１２の判断が否定された場合、すなわち、選択された種別ボタンに対応するアコーディオンが閉じた状態である場合には、ステップＳ１４に移行する。
【００２６】
ステップＳ１４に移行すると、画面表示部３４は、第１領域Ａ１において、選択された種別ボタンに対応する種別名のアコーディオンを開き、最上位に表示する。例えば、図６の状態において、管理者が符号Ｂ１で示す種別ボタン「作業」を選択したとする。この場合、画面表示部３４は、図７に示すように、種別名「作業」のアコーディオンを開き（破線枠Ｂ２参照）、種別名「作業」に関連する項目が第１領域Ａ１の先頭に位置するように画面をスクロールする。これにより、管理者が選択した種別名「作業」に関連する項目を見やすく表示することができる。画面表示部３４は、ステップＳ１４を実行した後、ステップＳ１６に移行する。
【００２７】
一方、ステップＳ１２の判断が肯定された場合、すなわち、選択された種別ボタンに対応する種別名のアコーディオンが開いた状態である場合には、画面表示部３４は、ステップＳ１５に移行する。ステップＳ１５に移行すると、画面表示部３４は、選択された種別ボタンに対応する種別名のアコーディオンを開いたまま、最上位となるようにスクロールする。その後は、画面表示部３４は、ステップＳ１６に移行する。
【００２８】
ところで、ステップＳ１０、Ｓ１６の繰り返しの結果、ステップＳ１６の判断が肯定されると、画面表示部３４は、ステップＳ１８に移行する。ステップＳ１８に移行すると、画面表示部３４は、第１領域Ａ１において、選択された種別名に対応するアコーディオンが開いた状態か否かを判断する。このステップＳ１８の判断が否定された場合、すなわち、選択された種別名に対応するアコーディオンが閉じた状態である場合には、ステップＳ２０に移行する。
【００２９】
ステップＳ２０に移行すると、画面表示部３４は、第１領域Ａ１において、選択された種別名に対応するアコーディオンを開く。例えば、図６の状態において、管理者が第１領域Ａ１内の種別名「作業」を選択したとする（符号Ｃ１参照）。この場合、画面表示部３４は、図８に示すように、種別名「作業」のアコーディオン（種別名「作業」に関連する項目）を位置を変更せずに開く（破線枠Ｃ２参照）。これにより、管理者は、違和感なく、選択した種別名「作業」に関連する項目や既に表示している種別名「保全周期」に関連する項目を表示し、編集（項目の入力、変更）や閲覧をすることができる。その後は、画面表示部３４は、ステップＳ１０に戻る。
【００３０】
一方、ステップＳ１８の判断が肯定された場合、すなわち、選択された種別名に対応するアコーディオンが開いた状態である場合には、ステップＳ２２に移行する。ステップＳ２２に移行すると、画面表示部３４は、選択された種別名に対応するアコーディオンを閉じる。その後は、画面表示部３４は、ステップＳ１０に戻る。
【００３１】
ステップＳ１０に戻った後は、図４の処理が繰り返し実行される。これにより、管理者の操作に応じて、アコーディオンの開閉、画面のスクロール等が行われるようになっている。
【００３２】
なお、本実施形態では、図４の処理において、ステップＳ１０〜Ｓ１５の処理と、ステップＳ１６〜Ｓ２２の処理を１つのフローチャートにおいて連続的に実行する場合について説明したが、これに限られるものではない。例えば、ステップＳ１０〜Ｓ１５の処理と、ステップＳ１６〜Ｓ２２の処理を別々の処理とし、各処理を同時並行的に実行するようにしてもよい。すなわち、第２の領域の種別ボタンが選択された場合に、ステップＳ１２、Ｓ１４又はＳ１５の処理を実行し、第１の領域内の種別名が選択された場合に、ステップＳ１８、Ｓ２０又はＳ２２の処理を実行するようにしてもよい。
【００３３】
なお、これまでの説明からわかるように、本実施形態では、画面表示部３４により、第１領域Ａ１に種別名を表示する第１表示部、第２領域Ａ２に種別ボタンを表示する第２表示部、及び管理者の操作に応じて第１領域Ａ１の表示を制御する制御部としての機能が実現されている。
【００３４】
以上、詳細に説明したように、本実施形態によると、画面表示部３４は、設備管理システムで管理する項目を編集、閲覧する画面の第１領域Ａ１に複数の種別名を表示する。また、画面表示部３４は、画面の第２領域Ａ２に、種別名それぞれに対応する種別ボタンを表示する。そして、画面表示部３４は、管理者がいずれかの種別ボタンを選択すると、選択に応じて、選択された種別ボタンに対応する第１領域Ａ１内の種別名に関連する項目の表示を制御する（アコーディオンを開く）。これにより、本実施形態では、第２領域Ａ２内の種別ボタンを選択することで、第１領域Ａ１内の種別名に関連する項目の表示することができるため、操作の簡素化により、利便性を向上することができる。また、本実施形態のようにアコーディオン表示方式を採用した場合、一覧性を高く維持しつつ、操作の簡素化を図ることができる。具体的には、操作ボタンの選択によるアコーディオンの開操作を可能にすることで、開きたいアコーディオンに対応する種別名が第１領域Ａ１に表示されていなくても開くことが可能である。これにより、第１領域Ａ１内に表示されていない種別名に関連する項目を表示する際に、画面スクロールをする必要がなくなる。すなわち、アコーディオン表示方式を採用することで、項目が縦長に表示される場合であっても、アコーディオンの開操作を容易に行うことが可能である。
【００３５】
ここで、種別名に関連する項目を、種別名ごとに別々のタブ画面に含め、タブが選択されたときに、選択されたタブ画面のみを表示するようにすることも考えられる。しかるに、この場合には、１つのタブ画面に表示される情報が限定的であり、多くの情報を俯瞰することができず、一覧性が低い。これに対し、本実施形態では、管理者が選択的にアコーディオンを開くことで、管理者は必要な情報を俯瞰することができるため一覧性を高くすることができる。このように、本実施形態では、表示したい情報を簡単な操作で表示することができるため、タブ画面を用いる場合と同様に高い利便性を確保することができ、かつ、タブ画面よりも一覧性を高くすることができる。
【００３６】
また、本実施形態では、画面表示部３４は、種別ボタンの選択に応じて、選択された種別名のアコーディオンを開く際に、第１領域Ａ１の先頭位置（上端部）に表示する。これにより、選択した種別名に関連する項目を見やすく表示することができる。
【００３７】
また、本実施形態では、画面表示部３４は、種別ボタンが選択されたときに、選択されていない種別名のアコーディオンの開閉状態は変更しない。これにより、管理者が意図していないアコーディオンの開閉が行われないようにすることができるため、管理者に違和感を与えることなく、選択された種別名に関連する項目を表示することができる。
【００３８】
また、本実施形態では、画面表示部３４は、第１領域Ａ１内における種別の選択に応じて、選択された種別名のアコーディオンを開く場合には、選択された種別の位置を変更せずに項目を表示することとしている。これにより、第１領域Ａ１内で種別を選択した場合には、従来のアコーディオン表示と同様に、種別に関連する項目を表示することができる。
【００３９】
なお、上記実施形態では、種別ボタンが選択されたときに、操作されていない種別ボタンに対応する種別名のアコーディオンの開閉状態は変更しない場合について説明したが、これに限られるものではない。例えば、種別ボタンが選択されたときに、操作されていない種別ボタンに対応する種別名に関連する項目を全て非表示にする（アコーディオンを閉じる）こととしてもよい。かかる場合には、選択された種別名に関連する項目を表示する際（アコーディオンを開く際）に、選択された種別名を第１領域Ａ１の先頭に表示しなくてもよい。なお、操作されていない種別ボタンに対応するアコーディオンの開閉状態を変更するか、しないかは、予め設定されていてもよいし、管理者が好みに応じて設定してもよい。
【００４０】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記憶媒体（ただし、搬送波は除く）に記録しておくことができる。
【００４１】
プログラムを流通させる場合には、例えば、そのプログラムが記録されたＤＶＤ（Digital Versatile Disc）、ＣＤ−ＲＯＭ（Compact Disc Read Only Memory）などの可搬型記憶媒体の形態で販売される。また、プログラムをサーバコンピュータの記憶装置に格納しておき、ネットワークを介して、サーバコンピュータから他のコンピュータにそのプログラムを転送することもできる。
【００４２】
プログラムを実行するコンピュータは、例えば、可搬型記憶媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記憶媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００４３】
上述した実施形態は本発明の好適な実施の例である。但し、これに限定されるものではなく、本発明の要旨を逸脱しない範囲内において種々変形実施可能である。
【００４４】
なお、以上の実施形態の説明に関して、更に以下の付記を開示する。
（付記１）  設備管理システムで管理する項目を閲覧及び／又は編集する画面の第１領域において、複数の管理対象種別を表示し、
前記画面の第２領域に、複数の前記管理対象種別それぞれの選択操作に用いる複数の操作部品を表示し、
いずれかの前記操作部品の選択操作に応じて、前記第１領域において、選択操作された前記操作部品に対応する管理対象種別に関連する項目の表示を制御する、
処理をコンピュータに実行させるための表示プログラム。
（付記２）  前記操作部品の選択操作に応じて、選択操作された前記操作部品に対応する前記管理対象種別に関連する項目を表示する際に、前記第１領域の先頭位置に表示する、ことを特徴とする付記１に記載の表示プログラム。
（付記３）  前記操作部品の選択操作があったときに、選択操作されていない操作部品に対応する管理対象種別に関連する項目の表示態様は変更しない、ことを特徴とする付記２に記載の表示プログラム。
（付記４）  前記第１領域内における前記管理対象種別の選択操作に応じて、選択操作された前記管理対象種別に関連する項目の表示を制御する際に、選択操作された前記管理対象種別の位置を変更しない、ことを特徴とする付記１〜３のいずれかに記載の表示プログラム。
（付記５）  前記操作部品の選択操作があったときに、選択操作されていない操作部品に対応する前記管理対象種別に関連する項目を非表示にする、ことを特徴とする付記１〜４のいずれかに記載の表示プログラム。
（付記６）  設備管理システムで管理する項目を閲覧及び／又は編集する画面の第１領域において、複数の管理対象種別を表示し、
前記画面の第２領域に、複数の前記管理対象種別それぞれの選択操作に用いる複数の操作部品を表示し、
いずれかの前記操作部品の選択操作に応じて、前記第１領域において、選択操作された前記操作部品に対応する管理対象種別に関連する項目の表示を制御する、
処理をコンピュータが実行することを特徴とする表示方法。
（付記７）  設備管理システムで管理する項目を閲覧及び／又は編集する画面の第１領域において、複数の管理対象種別を表示する第１表示部と、
前記画面の第２領域に、複数の前記管理対象種別それぞれの選択操作に用いる複数の操作部品を表示する第２表示部と、
いずれかの前記操作部品の選択操作に応じて、前記第１領域において、選択操作された前記操作部品に対応する管理対象種別に関連する項目の表示を制御する制御部と、
を備える表示装置。
（付記８）  前記制御部は、前記操作部品の選択操作に応じて、選択操作された前記操作部品に対応する前記管理対象種別に関連する項目を表示する際に、前記第１領域の先頭位置に表示する、ことを特徴とする付記７に記載の表示装置。
（付記９）  前記制御部は、前記操作部品の選択操作があったときに、選択操作されていない操作部品に対応する管理対象種別に関連する項目の表示態様は変更しない、ことを特徴とする付記８に記載の表示装置。
（付記１０）  前記切り替え部は、前記第１領域内における前記管理対象種別の選択操作に応じて、選択操作された前記管理対象種別に関連する項目の表示を制御する際に、選択操作された前記管理対象種別の位置を変更しない、ことを特徴とする付記７〜９のいずれかに記載の表示装置。
（付記１１）  前記切り替え部は、前記操作部品の選択操作があったときに、選択操作されていない操作部品に対応する前記管理対象種別に関連する項目を非表示にする、ことを特徴とする付記７〜１０のいずれかに記載の表示装置。
【符号の説明】
【００４５】
３４  画面表示部（第１表示部、第２表示部、制御部）
７０  利用者端末（表示装置）
Ａ１  第１領域
Ａ２  第２領域
【図１】
2020201854.tif 000003
【図２】
2020201854.tif 000004
【図３】
2020201854.tif 000005
【図４】
2020201854.tif 000006
【図５】
2020201854.tif 000007
【図６】
2020201854.tif 000008
【図７】
2020201854.tif 000009
【図８】
2020201854.tif 000010